(57)【要約】【課題】複数のアクセス統計サーバを統合して運営するシステム及びその方法が提供される。【解決手段】複数のアクセス統計サーバを統合して運営する方法は、接続者端末が第１ウェブサイトにアクセスした場合、第１ウェブサイトに挿入されたアクセス情報生成スクリプトを通じて生成されたアクセス情報が中継サーバに転送されるステップと、接続者端末の統合固有ＩＤを中継サーバが読み出すステップと、アクセス情報を分析するアクセス統計サーバを選択するステップと、アクセス統計サーバが接続者端末のアクセス情報を統合固有ＩＤと連係してアクセス統計ＤＢに格納するステップと、第１ウェブサイトの管理者端末から転送された検索条件に従ってアクセス統計ＤＢに格納されたアクセス情報を分析して接続者端末の第１ウェブサイトに対するアクセス統計情報を生成するステップと、アクセス統計情報を管理者端末に転送するステップとを含む。【選択図】図２
2012520502.tif 000002
【特許請求の範囲】
【請求項１】
アクセス統計情報提供システムが複数のアクセス統計サーバを統合して運営する方法において、
接続者端末が複数のウェブサイトのうち第１ウェブサイトにアクセスした場合、前記第１ウェブサイトに挿入されたアクセス情報生成スクリプトを通じて生成されたアクセス情報が中継サーバに転送されるステップと、
前記複数のウェブサイトに対して共通して識別できるように、前記接続者端末に発給された前記接続者端末の統合固有ＩＤを前記中継サーバが読み出すステップと、
前記統合固有ＩＤが読み出された接続者端末の前記第１ウェブサイトに対するアクセス情報を分析するアクセス統計サーバを複数のアクセス統計サーバの中から選択するステップと、
前記選択されたアクセス統計サーバが前記接続者端末のアクセス情報を前記統合固有ＩＤと連係してアクセス統計データベースに格納するステップと、
前記第１ウェブサイトの管理者端末から転送された検索条件に従って前記アクセス統計データベースに格納されたアクセス情報を分析して前記接続者端末の前記第１ウェブサイトに対するアクセス統計情報を生成するステップと、
前記生成されたアクセス統計情報を前記管理者端末に転送するステップと、
を含む複数のアクセス統計サーバの統合運営方法。
【請求項２】
前記統合固有ＩＤは、前記接続者端末がアクセスした前記第１ウェブサイトのドメイン情報、経路情報及びアクセス情報と共に前記アクセス統計データベースに格納される請求項１に記載の複数のアクセス統計サーバの統合運営方法。
【請求項３】
前記統合固有ＩＤは、前記接続者端末に格納されたクッキー（ｃｏｏｋｉｅ）、ユーザデータビヘイビア（ｕｓｅｒＤａｔａ  Ｂｅｈａｖｉｏｒ）属性を利用したユーザデータ、及びマクロメディアフラッシュ（Ｍａｃｒｏｍｅｄｉａ  Ｆｌａｓｈ）の共有客体（Ｓｈａｒｅ  Ｏｂｊｅｃｔ）クラスを利用したフラッシュデータのうち一つに挿入される請求項２に記載の複数のアクセス統計サーバの統合運営方法。
【請求項４】
前記接続者端末が前記複数のウェブサイトのうち第２ウェブサイトにアクセスした場合、前記統合固有ＩＤに基づいて前記中継サーバが前記接続者端末を識別するステップと、
前記複数のアクセス統計サーバのうち前記接続者端末の前記第２ウェブサイトに対するアクセス情報を分析するアクセス統計サーバを前記中継サーバが選択するステップと、
前記選択されたアクセス統計サーバが前記接続者端末の第２ウェブサイトに対するアクセス情報を既格納した前記接続者端末の第１ウェブサイトに対するアクセス情報と連係して前記アクセス統計データベースに格納するステップと、
をさらに含む請求項１に記載の複数のアクセス統計サーバの統合運営方法。
【請求項５】
前記統合固有ＩＤの読み出しステップは、前記接続者端末に前記統合固有ＩＤが存在しない場合、前記中継サーバが前記複数のウェブサイトに対して識別可能な統合固有ＩＤを生成して前記接続者端末に発給する請求項１に記載の複数のアクセス統計サーバの統合運営方法。
【請求項６】
前記アクセス情報は、前記接続者端末に対する情報、前記複数のウェブサイトのうち一つのＵＲＬ、前記複数のウェブサイトのうち一つに対する前記接続者端末のアクセス回数、アクセス維持時間、直前に訪問した流入サイトに対する情報、ウェブサイトを訪問するために照会した流入キーワード、アクセススタート時刻及びアクセスエンド時刻のいずれか一つ以上を含む請求項１に記載の複数のアクセス統計サーバの統合運営方法。
【請求項７】
複数のアクセス統計サーバを統合して運営するシステムにおいて、
接続者端末のアクセス情報が前記接続者端末の統合固有ＩＤと連係して格納されるアクセス統計データベースと、
前記接続者端末の複数のウェブサイトに対するアクセス情報を分析して前記アクセス統計データベースに格納し、前記複数のウェブサイトのうち一つの管理者端末の要請に応じて前記アクセス統計データベースに格納されたアクセス情報から統計情報を生成する複数のアクセス統計サーバと、
前記接続者端末が前記複数のウェブサイトのうち第１ウェブサイトにアクセスした場合、前記第１ウェブサイトに挿入されたアクセス情報生成スクリプトを通じて前記接続者端末の統合固有ＩＤを読み出し、前記アクセス統計サーバのうち一つのアクセス統計サーバを選択して前記第１ウェブサイトに対するアクセス情報の分析作業を割り当てる中継サーバと
を含む複数のアクセス統計サーバの統合運営システム。
【請求項８】
前記統合固有ＩＤは、前記接続者端末がアクセスした前記第１ウェブサイトのドメイン情報、経路情報及びアクセス情報と共に前記アクセス統計データベースに格納される請求項７に記載の複数のアクセス統計サーバの統合運営システム。
【請求項９】
前記中継サーバは、
前記接続者端末が前記複数のウェブサイトのうち第１ウェブサイトにアクセスした場合、前記第１ウェブサイトに挿入されているアクセス情報生成スクリプトを通じて前記接続者端末のアクセス情報を受信するアクセス情報受信部と、
前記受信されたアクセス情報に統合固有ＩＤが存在しない場合、統合固有ＩＤを生成して前記接続者端末に発給する統合固有ＩＤ管理部と、
前記複数のアクセス統計サーバのうち前記接続者端末がアクセスした第１ウェブサイトに対するアクセス情報を分析するアクセス統計サーバを選択するアクセス統計サーバ選択部と、
前記接続者端末の前記第１ウェブサイトに対するアクセス情報を前記生成された統合固有ＩＤと連係して前記選択されたアクセス統計サーバに転送するアクセス情報送信部と、
を含む請求項７に記載の複数のアクセス統計サーバの統合運営システム。
【請求項１０】
前記受信されたアクセス情報に統合固有ＩＤが存在する場合、
前記統合固有ＩＤ管理部は、前記アクセス情報から前記統合固有ＩＤを抽出し、前記アクセス情報送信部は、前記受信されたアクセス情報と前記抽出された統合固有ＩＤとを連係して前記選択されたアクセス統計サーバに転送する請求項９に記載の複数のアクセス統計サーバの統合運営システム。
【請求項１１】
前記中継サーバは、前記接続者端末に発給された統合固有ＩＤを格納する格納部をさらに含み、
前記格納部は、前記発給された統合固有ＩＤを前記接続者端末がアクセスした第１ウェブサイトのドメイン情報、経路情報及びクッキー情報と連係して格納する請求項９に記載の複数のアクセス統計サーバの統合運営システム。
【発明の詳細な説明】
【技術分野】
【０００１】
複数のアクセス統計サーバを統合して運営するシステム及びその方法に関する。
【背景技術】
【０００２】
一般的にインターネットポータルサイトや電子商取引サイトのような特定ウェブサイトは、顧客管理次元及び各種統計の分析のために接続者または訪問者のアクセス記録（ａｃｃｅｓｓ  ｌｏｇ）を収集及び分析する。この時、主に使用される方法としては、既にウェブサイトに登録されたＩＤを利用して接続者がログイン時にその接続者のアクセス情報を収集する方法があり、またはログインなしにアクセスする場合、接続者端末のＩＰアドレスやクッキー（ｃｏｏｋｉｅ）を読み取って接続者を認識し、それによる接続者のアクセス情報を収集する方法がある。
【０００３】
しかし、ＩＰアドレスが変更されるかクッキーが削除されると、同一の接続者端末がウェブサイトにアクセスしてもこれを認識することができないという問題点があった。従って、ＩＰアドレスが変更された、あるいはクッキーが削除された接続者端末がウェブサイトに再アクセスした場合、これを初めてアクセスした接続者として認識する問題点があるので、アクセス統計を正確に算出することができないという問題点があった。
【０００４】
上述したようなアクセス統計の提供方法を改善するために、接続者端末に各接続者端末を識別することができる固有ＩＤを生成して発給することで、ウェブサイトにアクセスした接続者端末のそれぞれに対するアクセス統計情報を生成する技術が提案された。
【０００５】
図１は、従来技術による接続者のアクセス統計情報を提供するシステムの連結関係を示した図面である。
【０００６】
図１を参照すると、従来技術によるアクセス統計システム３０のネットワーク構成は、多数の接続者端末１０、多数のウェブサイト２０及びアクセス統計システム３０を含み、接続者端末１０、ウェブサイト２０及びアクセス統計システム３０は、インターネットなどのようなネットワークを通じて連結されている。
【０００７】
接続者端末１０には、ＨＴＴＰプロトコルを通じてウェブサーバ（図示せず）によって提供されるウェブサイト２０にアクセスし、インターネットブラウジングのためのブラウザーが設置されている。
【０００８】
ウェブサイト２０は、接続者端末１０のブラウザーから要請されたウェブページを接続者端末１００のブラウザーに提供する。各ウェブサイト２０には、アクセス情報を抽出してアクセス統計システム３０に転送するアクセス情報生成スクリプト（Ｓｃｒｉｐｔ）が挿入されている。このアクセス情報生成スクリプトは、各ウェブサイト２０のアクセス統計情報の生成作業を行う各アクセス統計サーバ３１と連係されている。例えば、第１ウェブサイトに挿入されたアクセス情報生成スクリプトは、第１ウェブサイトに対するアクセス統計情報を生成する第１アクセス統計サーバと連係され、第２ウェブサイトに挿入されたアクセス情報生成スクリプトは、第２ウェブサイトに対するアクセス統計情報を生成する第２アクセス統計サーバと連係され、第３ウェブサイトに挿入されたアクセス情報生成スクリプトは、第３ウェブサイトに対するアクセス統計情報を生成する第３アクセス統計サーバと連係されている。
【０００９】
アクセス統計システム３０は、各ウェブサイト２０にアクセスする接続者端末１０のアクセス統計情報を生成して提供し、多数のアクセス統計サーバ３１及び多数のアクセス統計ＤＢ３２を含む。
【００１０】
多数のアクセス統計サーバ３１は、対応するウェブサイト２０に対して接続者端末１０のアクセス統計情報を生成し、接続者端末１０を識別するための固有ＩＤを接続者端末１０に対して生成して発給する。前記固有ＩＤは、各接続者端末１０に格納されるクッキー（Ｃｏｏｋｉｅ）、ユーザデータビヘイビア（Ｕｓｅｒｄａｔａ  Ｂｅｈａｖｉｏｒ）属性を利用したユーザデータ、及びマクロメディアフラッシュ（Ｍａｃｒｏｍｅｄｉａ  Ｆｌａｓｈ）の共有客体（Ｓｈａｒｅ  Ｏｂｊｅｃｔ）クラスを利用したフラッシュデータのいずれか一つに格納される。
【００１１】
多数のアクセス統計ＤＢ３２は、各アクセス統計サーバ３１が生成する接続者統計情報をウェブサイト別に分類して格納する。
【００１２】
例えば、接続者端末１０が多数のウェブサイト２０のいずれか一つ、例えば、第１ウェブサイトにアクセスした場合、アクセス統計サーバ３１のうち第１ウェブサイトに対応する第１アクセス統計サーバが該当接続者端末１０に格納された固有ＩＤを読み出す。この時、第１アクセス統計サーバは、接続者端末１０に固有ＩＤが存在する場合は、固有ＩＤと連係して該当接続者端末１０のアクセス情報をアップデートしてアクセス統計ＤＢ３２に格納する。もし、接続者端末１０に固有ＩＤが存在しない場合は、接続者端末１０に対して固有ＩＤを生成して発給し、発給された固有ＩＤと連係して該当接続者端末１０のアクセス情報をアクセス統計ＤＢ３２に格納する。
【００１３】
しかし、従来技術によるアクセス統計システムは、各ウェブサイトに対応する各アクセス統計サーバが接続者端末に対してそれぞれの固有ＩＤを発給して管理しているため、各接続者端末は、各ウェブサイトにアクセスする度にそれぞれのアクセス統計サーバから互いに異なる固有ＩＤの発給を受けなければならないという不都合があった。
【００１４】
また、従来技術によるアクセス統計システムは、各ウェブサイト別にアクセス統計サーバが別途に運営され、アクセス統計サーバを途中に変更することができないため、負荷が集中される恐れがあった。
【００１５】
また、従来技術によるアクセス統計システムは、負荷分散などの管理政策により、特定ウェブサイトのアクセス統計情報を生成する特定アクセス統計サーバを変更する場合、変更されたアクセス統計サーバは以前のアクセス統計サーバのドメイン名（ｄｏｍａｉｎ  ｎａｍｅ）で発給されたクッキー、ユーザデータまたはフラッシュデータを読み取ることができる権限がないという問題点があった。
【発明の概要】
【発明が解決しようとする課題】
【００１６】
本発明の一実施例は、複数のウェブサイトに対して共通して識別することができる統合固有ＩＤを利用し、複数のアクセス統計サーバを統合して運営するシステム及びその方法を提供する。
【課題を解決するための手段】
【００１７】
上述した技術的課題を達成するための技術的手段として、本発明の第１側面は、複数のアクセス統計サーバを統合して運営する方法において、接続者端末が複数のウェブサイトのうち第１ウェブサイトにアクセスした場合、前記第１ウェブサイトに挿入されたアクセス情報生成スクリプトを通じて生成されたアクセス情報が中継サーバに転送されるステップ、前記接続者端末の統合固有ＩＤを前記中継サーバを通じて読み出すステップ、前記統合固有ＩＤが読み出された接続者端末の前記第１ウェブサイトに対するアクセス情報を分析するアクセス統計サーバを複数のアクセス統計サーバの中から選択するステップ、前記選択されたアクセス統計サーバが前記接続者端末のアクセス情報を前記統合固有ＩＤと連係してアクセス統計データベースに格納するステップ、前記第１ウェブサイトの管理者端末から転送された検索条件に従って前記アクセス統計データベースに格納されたアクセス情報を分析して前記接続者端末の前記第１ウェブサイトに対するアクセス統計情報を生成するステップ、及び前記生成されたアクセス統計情報を前記管理者端末に転送するステップを含む複数のアクセス統計サーバの統合運営方法を提供する。
【００１８】
上述した技術的課題を達成するための技術的手段として、本発明の第２側面は、複数のアクセス統計サーバを統合して運営するシステムにおいて、前記接続者端末のアクセス情報が前記接続者端末の統合固有ＩＤと連係して格納されるアクセス統計データベース、前記接続者端末の前記ウェブサイトに対するアクセス情報を分析して前記アクセス統計データベースに格納し、前記ウェブサイトの管理者端末の要請に応じて前記アクセス統計データベースに格納されたアクセス情報から統計情報を生成する複数のアクセス統計サーバ、及び前記接続者端末が前記複数のウェブサイトのうち第１ウェブサイトにアクセスした場合、前記第１ウェブサイトに挿入されたアクセス情報生成スクリプトを通じて前記接続者端末の統合固有ＩＤを読み出し、前記アクセス統計サーバのいずれか一つのアクセス統計サーバを選択して前記第１ウェブサイトに対するアクセス情報の分析作業を割り当てる中継サーバを含む複数のアクセス統計サーバの統合運営システムを提供する。
【発明の効果】
【００１９】
前述した本発明の課題解決手段のいずれか一つによると、統合固有ＩＤを利用して複数の会員ウェブサイトのそれぞれに対して接続者端末のアクセス統計情報を生成する複数のアクセス統計サーバを統合して運営することができる。
【図面の簡単な説明】
【００２０】
【図１】従来技術による接続者のアクセス統計情報を提供するシステムの連結関係を示した図面である。
【図２】本発明の一実施例による複数のアクセス統計サーバを統合して運営するシステムの連結関係を示した図面である。
【図３】本発明の一実施例による中継サーバの細部構成図である。
【図４】本発明の一実施例による統合固有ＩＤが格納される格納部の一例を示した図面である。
【図５】本発明の一実施例による会員ウェブサイトに対する接続者端末のアクセス統計情報を提供する方法を説明するためのフローチャートである。
【図６】本発明の一実施例による複数のアクセス統計サーバを統合して運営する方法を説明するためのフローチャートである。
【発明を実施するための形態】
【００２１】
以下では、添付した図面を参照して本発明が属する技術分野で通常の知識を持った者が容易に実施することができるように本発明の実施例を詳しく説明する。しかし、本発明は、様々な異なる形態で具現されることができ、ここで説明する実施例に限らない。そして、図面で本発明を明確に説明するために、説明と関係ない部分は省略し、明細書全体を通じて類似した部分に対しては類似した図面符号を付けた。
【００２２】
明細書全体において、ある部分が他の部分と「連結」されているとすると、これは「直接的に連結」されている場合だけでなく、その中間に他の素子を挟んで「電気的に連結」されている場合も含む。また、ある部分がある構成要素を「含む」とすると、これは、特に反対される記載がない限り、他の構成要素を除外するのではなく、他の構成要素をさらに含むことができることを意味する。
【００２３】
以下では、図２〜図６を参照して、本発明の一実施例による複数のアクセス統計サーバを統合して運営するシステム及びその方法を説明する。
【００２４】
図２は、本発明の一実施例による複数のアクセス統計サーバを統合して運営するシステムの連結関係を示した図面である。
【００２５】
図２を参照すると、本発明の一実施例による複数のアクセス統計サーバを統合して運営するシステムのネットワーク連結は、複数の接続者端末１００、複数の会員ウェブサイト２００及びアクセス統計情報提供システム３００を含み、アクセス統計情報提供システム３００は、中継サーバ３１０、複数のアクセス統計サーバ３２０及びアクセス統計ＤＢ３３０を含む。
【００２６】
複数の接続者端末１００は、例えば、ノートパソコン、デスクトップ（ｄｅｓｋｔｏｐ）コンピューター、ラップトップ（ｌａｐｔｏｐ）コンピューター及び個人携帯用端末機を含む。携帯用端末機は、携帯性と移動性が保障される無線通信装置であり、例えば、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末などのような全ての種類のハンドヘルド（Ｈａｎｄｈｅｌｄ）基盤の無線通信装置を含む。
【００２７】
接続者端末１００には、ＨＴＴＰプロトコルを通じてウェブサーバ（図示せず）によって提供される各会員ウェブサイト２００にアクセスし、インターネットブラウジングのためのブラウザーが設置される。
【００２８】
複数の会員ウェブサイト２００は、接続者端末１００のブラウザーから要請されたウェブページを接続者端末１００のブラウザーに提供し、アクセス統計情報提供システム３００から各接続者端末のアクセス統計情報を受けるために、アクセス統計情報提供システム３００に会員として登録したウェブサイトである。
【００２９】
各会員ウェブサイト２００には、接続者端末１００のアクセス情報を抽出してアクセス統計情報提供システム３００に転送するアクセス情報生成スクリプト（Ｓｃｒｉｐｔ）が挿入されている。
【００３０】
ここで、接続者端末１００のアクセス情報は、会員ウェブサイト２００にアクセスした接続者端末１００の端末情報、アクセス回数、アクセス維持時間、流入サイトに対する情報、流入キーワード、アクセススタート時刻及びアクセスエンド時刻などを含む。
【００３１】
また、前記アクセス情報生成スクリプトは、接続者端末１００で駆動中のブラウザーが各会員ウェブサイト２００内のウェブページをローディング（Ｌｏａｄｉｎｇ）またはアンローディング（Ｕｎｌｏａｄｉｎｇ）する度に、以前のＵＲＬ情報、現在のＵＲＬ情報及びページ移動回数情報を抽出してアクセス統計情報提供システム３００に転送する。この時、以前のＵＲＬ情報は、リファラ（ｒｅｆｅｒｒｅｒ）関数を通じて把握することができ、現在のブラウザーにローディングされたウェブページ以前のウェブページのＵＲＬに対する情報である。ページ移動回数情報は、ブラウザーが駆動された後、ウェブページが移動された回数を意味し、ジャバスクリプトのヒストリー情報などを通じて把握することができる。
【００３２】
参考として、リファラ（ｒｅｆｅｒｒｅｒ）関数値は、接続者端末１００でブラウザーにウェブサーフィンする時に、ハイパーリンクを通じて各ウェブサイトを訪問する場合に記録される流入経路情報であり、アクセス時刻（ハイパーリンクをクリックした時刻）、直前に訪問したサイト、照会したキーワード、接続者端末１００のＩＰアドレスなどのような情報を含む。
【００３３】
アクセス統計情報提供システム３００は、会員ウェブサイト２００にアクセスする各接続者端末１００に対して統合固有ＩＤを生成して発給し、統合固有ＩＤの発給を受けた接続者端末１００が会員ウェブサイト２００にアクセスした場合、接続者端末１００がアクセスした会員ウェブサイト２００のアクセス情報生成スクリプトを通じて統合固有ＩＤを読み出し、統合固有ＩＤが読み出された接続者端末１００の会員ウェブサイト２００に対するアクセス情報を分析する。
【００３４】
以後、アクセス統計システム３００は、分析された各接続者端末１００のアクセス情報を統合固有ＩＤと連係して格納し、会員ウェブサイト２００の管理者端末（図示せず）の要請に応じてこの格納されたアクセス情報からアクセス統計情報を生成して提供する。
【００３５】
この時、アクセス統計情報提供システム３００は、流入サイトに対する情報及び流入キーワードを格納するために、識別された接続者端末１００からリファラ（Ｒｅｆｅｒｒｅｒ）  値を読み出して分析する。もし、接続者端末１００がキーワード検索広告を通じてウェブサイトにアクセスした場合、リファラ値には、キーワード検索広告をサービス（または掲載）する広告社を表す情報、例えば広告社のＵＲＬアドレスとキーワードなどが含まれる。
【００３６】
本発明の一実施例によるアクセス統計情報提供システム３００は、中継サーバ３１０、複数のアクセス統計サーバ３２０及びアクセス統計ＤＢ３３０を含む。
【００３７】
中継サーバ３１０は、各接続者端末１００に対して統合固有ＩＤを発給及び管理し、会員ウェブサイト２００にアクセスした接続者端末１００の統合固有ＩＤを読み出し、接続者端末１００のアクセス情報を分析して接続者端末１００の会員ウェブサイト２００に対するアクセス統計情報を生成する複数のアクセス統計サーバ３２０のうち一つを選択する。ここで、統合固有ＩＤは、アクセス統計情報提供システム３００に会員として登録した全会員ウェブサイト２００に対して共通して識別できる各接続者端末１００の固有識別字である。例えば、接続者端末１００が複数の会員ウェブサイト２００のうち一つ、例えば第１会員ウェブサイト（「ａ．ｃｏｍ」）に最初にアクセスした時にアクセス統計情報提供システム３００から統合固有ＩＤを受けると、以後、他の会員ウェブサイト、例えば第２会員ウェブサイト（「ｂ．ｃｏ．ｋｒ」）または第３会員ウェブサイト（「ｃ．ｃｏｍ」）に最初にアクセスした場合にも、第１会員ウェブサイト（「ａ．ｃｏｍ」）のアクセス時に受けた統合固有ＩＤを利用してアクセス統計情報提供システム３００によって識別できるようになる。
【００３８】
このような統合固有ＩＤは、接続者端末１００に格納されたクッキー（ｃｏｏｋｉｅ）、ユーザデータビヘイビア（ｕｓｅｒＤａｔａ  Ｂｅｈａｖｉｏｒ）属性を利用したユーザデータ及びマクロメディアフラッシュ（Ｍａｃｒｏｍｅｄｉａ  Ｆｌａｓｈ）の共有客体（Ｓｈａｒｅ  Ｏｂｊｅｃｔ）クラスを利用したフラッシュデータのいずれか一つに挿入され、また、前記クッキー、ユーザデータまたはフラッシュデータは、統合固有ＩＤと共に中継サーバ３１０のドメイン情報（ｄｏｍａｉｎ  ｉｎｆｏｒｍａｔｉｏｎ）を含む。
【００３９】
参考として、前記のユーザデータの格納容量は約１ＭＢであり、フラッシュデータの格納容量は約１００ＫＢである。また、フラッシュデータは、格納可能な項目数に制限がなく、格納容量の超過時にユーザの同意を求める手続きを通じて最大５１２ＫＢまで容量を増やすことができる長所があるので、格納容量の超過時に、以前格納されていたデータが削除されてしまう問題を防止することができる。それだけでなく、フラッシュデータは、独立ｓｗｆ間のデータ共有が禁止されているので、セキュリティ上でも優れているという長所がある。
【００４０】
また、ユーザデータ及びフラッシュデータは、ブラウザーでも削除及び照会を支援せず、ウイルスワクチン（ｖｉｒｕｓ  ｖａｃｃｉｎｅ）により削除または変更されるか、あるいは照会することができないという長所がある。
【００４１】
複数のアクセス統計サーバ３２０は、接続者端末１００の会員ウェブサイト２００に対するアクセス情報を分析してアクセス統計ＤＢ３３０に格納し、以後、各会員ウェブサイト２００の管理者端末（図示せず）の要請に応じてアクセス統計ＤＢ３３０に格納されたアクセス情報からアクセス統計情報を生成して各会員ウェブサイト２００の管理者端末（図示せず）に転送する。
【００４２】
アクセス統計ＤＢ３３０は、接続者端末１００の各会員ウェブサイト２００に対するアクセス情報及び各アクセス統計サーバ３２０によって分析された接続者端末１００のアクセス統計情報を会員ウェブサイト別に分類して格納する。ここでは一つのアクセス統計ＤＢを例に挙げて説明したが、本発明が必ずしもこれに限られるものではなく、２つ以上のアクセス統計ＤＢを具現することもできる。
【００４３】
上述した接続者端末１００、会員ウェブサイト２００及びアクセス統計情報提供システム３００は、近距離通信網（Ｌｏｃａｌ  Ａｒｅａ  Ｎｅｔｗｏｒｋ；ＬＡＮ）、広域通信網（Ｗｉｄｅ  Ａｒｅａ  Ｎｅｔｗｏｒｋ；ＷＡＮ）または付加価置通信網（Ｖａｌｕｅ  Ａｄｄｅｄ  Ｎｅｔｗｏｒｋ；ＶＡＮ）等のような有線ネットワークや、移動通信網（Ｍｏｂｉｌｅ  Ｒａｄｉｏ  Ｃｏｍｍｕｎｉｃａｔｉｏｎ  Ｎｅｔｗｏｒｋ）または衛星通信網（Ｓａｔｅｌｌｉｔｅ  Ｎｅｔｗｏｒｋ）、ブルートゥース（Ｂｌｕｅｔｏｏｔｈ）、Ｗｉｂｒｏ（Ｗｉｒｅｌｅｓｓ  Ｂｒｏａｄｂａｎｄ  Ｉｎｔｅｒｎｅｔ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等のような全ての種類の無線ネットワークによってアクセスすることができる。
【００４４】
図３は、本発明の一実施例による中継サーバ３１０の細部構成図である。
【００４５】
図３を参照すると、本発明の一実施例による中継サーバ３１０は、アクセス情報受信部３１１、統合固有ＩＤ管理部３１２、アクセス統計サーバ選択部３１３、アクセス情報送信部３１４及び格納部３１５を含む。
【００４６】
アクセス情報受信部３１１は、接続者端末１００が会員ウェブサイト２００のうち一つにアクセスした場合、会員ウェブサイト２００の各ウェブページに挿入されているアクセス情報生成スクリプトから接続者端末１００のアクセス情報を受信する。ここで、前記アクセス情報生成スクリプトは、全て中継サーバ３１０と連係されており、接続者端末１００が複数の会員ウェブサイト２００のうち一つにアクセスした場合、該当会員ウェブサイトに挿入されたアクセス情報生成スクリプトは、接続者端末１００のアクセス情報を中継サーバ３１０に転送する。
【００４７】
また、前記アクセス情報は、接続者端末１００に対する情報、会員ウェブサイト２００に対する接続者端末１００のアクセス回数、アクセス維持時間、流入サイトに対する情報、流入キーワード、アクセススタート時刻及びアクセスエンド時刻などを含む。
【００４８】
統合固有ＩＤ管理部３１２は、接続者端末１００の統合固有ＩＤを読み出す。即ち、統合固有ＩＤ管理部３１２は、接続者端末１００の統合固有ＩＤが存在するか否かを判断し、統合固有ＩＤが存在しない場合は、接続者端末１００に対して統合固有ＩＤを生成して発給し、統合固有ＩＤが存在する場合は、統合固有ＩＤを読み出す。
【００４９】
また、統合固有ＩＤ管理部３１２は、複数の会員ウェブサイトのうち一つにアクセスした接続者端末１００の統合固有ＩＤが含まれたクッキーを生成して接続者端末１００に転送する。前記接続者端末１００に転送されたクッキーは、中継サーバ３１０のドメイン情報（ｄｏｍａｉｎ  ｉｎｆｏｒｍａｔｉｏｎ）を含む。
【００５０】
ここでは、本発明の一実施例による統合固有ＩＤが含まれたクッキーを生成することを例に挙げて説明したが、本発明が必ずしもこれに限られるものではなく、ユーザデータビヘイビア（ｕｓｅｒＤａｔａ  Ｂｅｈａｖｉｏｒ）属性を利用したユーザデータまたはマクロメディアフラッシュ（Ｍａｃｒｏｍｅｄｉａ  Ｆｌａｓｈ）の共有客体（Ｓｈａｒｅ  Ｏｂｊｅｃｔ）クラスを利用したフラッシュデータに統合固有ＩＤを含ませることもできる。
【００５１】
アクセス統計サーバ選択部３１３は、複数のアクセス統計サーバ３２０のうち統合固有ＩＤが読み出された接続者端末１００の会員ウェブサイト２００に対するアクセス情報を分析してアクセス統計情報を生成する一つのアクセス統計サーバを選択する。
【００５２】
アクセス情報送信部３１４は、統合固有ＩＤ管理部３１２によって抽出されるか生成された統合固有ＩＤと連係して、前記接続者端末１００の会員ウェブサイト２００に対するアクセス情報を選択されたアクセス統計サーバ３２０に転送する。
【００５３】
格納部３１５は、接続者端末１００に発給された統合固有ＩＤを格納する。具体的に、格納部３１５は、接続者端末１００に発給された統合固有ＩＤを接続者端末１００がアクセスした会員ウェブサイト２００の経路情報、接続者端末１００のアクセス情報と連係して共に格納する。
【００５４】
図４は、本発明の一実施例による統合固有ＩＤが格納される格納部の一例を示した図面である。
【００５５】
図４に示すように、本発明の一実施例による格納部３１５には、接続者端末１００の統合固有ＩＤと共に、前記接続者端末１００がアクセスした各会員ウェブサイトのＵＲＬ情報、及び接続者端末１００の各会員ウェブサイトに対するアクセス情報が連係して格納される。例えば、統合固有ＩＤが「ＩＤ＿０００１」である接続者端末１００の場合、各会員ウェブサイトのＵＲＬ情報（例えば、「ａ．ｃｏｍ」、「ｂ．ｃｏ．ｋｒ」、「ｃ．ｃｏｍ」）、接続者端末１００の各会員ウェブサイトに対するアクセス情報、例えば、アクセス回数、アクセス維持時間などが連係して格納される。
【００５６】
図５は、本発明の一実施例による会員ウェブサイトに対する接続者端末のアクセス統計情報を提供する方法を説明するためのフローチャートである。
【００５７】
ステップＳ１１において、アクセス統計情報提供システム３００は、接続者端末１００のアクセス統計情報の提供を受けようとする多数のウェブサイトから会員として登録を受けた後、ステップＳ１２に進行し、会員として登録をした多数の会員ウェブサイト２００にアクセス情報生成スクリプトを提供する。前記アクセス情報生成スクリプトは、各会員ウェブサイト２００のウェブページに挿入されて、接続者端末１００が該当会員ウェブサイト２００にアクセスした場合、接続者端末１００のアクセス情報をアクセス統計情報提供システム３００に転送し、中継サーバ３１０と連係されている。ここで、アクセス情報は、接続者端末１００に対する情報、会員ウェブサイト２００に対する接続者端末１００のアクセス回数、アクセス維持時間、流入サイトに対する情報、流入キーワード、アクセススタート時刻及びアクセスエンド時刻などを含む。
【００５８】
ステップＳ１３において、接続者端末１００が多数の会員ウェブサイト２００のうち一つ、例えば、第１会員ウェブサイトにアクセスすると、ステップＳ１４において、接続者端末１００がアクセスした第１会員ウェブサイトに挿入されたアクセス情報生成スクリプトが実行される。
【００５９】
ステップ１５において、アクセス統計情報提供システム３００は、第１会員ウェブサイトに挿入されたアクセス情報生成スクリプトから接続者端末１００のアクセス情報を受信した後、ステップＳ１６に進行して、接続者端末１００に統合固有ＩＤが存在するか否かを判断する。前記統合固有ＩＤは、接続者端末１００に格納されたクッキー（ｃｏｏｋｉｅ）、ユーザデータビヘイビア（ｕｓｅｒＤａｔａ  Ｂｅｈａｖｉｏｒ）属性を利用したユーザデータ及びマクロメディアフラッシュ（Ｍａｃｒｏｍｅｄｉａ  Ｆｌａｓｈ）の共有客体（Ｓｈａｒｅ  Ｏｂｊｅｃｔ）クラスを利用したフラッシュデータなどに挿入される。
【００６０】
ステップＳ１６における判断の結果、統合固有ＩＤが存在する場合は、ステップＳ１７に進行し、接続者端末１００の第１会員ウェブサイト２００に対するアクセス情報を統合固有ＩＤと連係して格納する。
【００６１】
前記転送される会員ウェブサイトのアクセス情報は、各ウェブページのローディング以前のＵＲＬに対する情報である以前のＵＲＬ情報、現在ローディングされたＵＲＬに対する情報である現在のＵＲＬ情報、及びブラウザーで現在ローディングされたページを含むウェブページが移動された回数、即ちページ移動回数情報を含む。
【００６２】
一方、ステップＳ１６における判断の結果、統合固有ＩＤが存在しない場合は、ステップＳ１７に進行し、アクセス統計情報提供システム３００に会員として登録をした全ての会員ウェブサイト２００で使用可能な統合固有ＩＤを生成して該当接続端末１００に発給した後、ステップＳ１７に進行し、発給された統合固有ＩＤと連係して接続者端末１００の第１会員ウェブサイト２００に対するアクセス情報を格納する。
【００６３】
ステップＳ１９において、アクセス統計情報提供システム３００は、第１会員ウェブサイトの管理者端末（図示せず）から接続者端末１００のアクセス統計情報の生成要請を受けると、ステップＳ２０に進行し、アクセス統計ＤＢ３３０に格納された接続者端末１００の第１会員ウェブサイトに対するアクセス情報を分析してアクセス統計情報を生成する。
【００６４】
この時、アクセス統計情報提供システム３００は、アクセス統計情報の生成のための検索条件を第１会員ウェブサイト２００の管理者端末から入力を受け、前記検索条件は、統計照会のための因子（ｆａｃｔｏｒ）として管理者が管理者端末で所定のインターフェースを通じて選択し、検索条件は、照会期間、流入サイト、流入キーワード及び接続者のいずれか一つ以上を含む。
【００６５】
接続者端末１００の第１会員ウェブサイトに対するアクセス統計情報生成が完了すると、ステップＳ２１において、アクセス統計情報提供システム３００は、生成されたアクセス統計情報を第１会員ウェブサイトの管理者端末（図示せず）に転送する。
【００６６】
前記生成されたアクセス統計情報は、接続者端末別のアクセススタート時刻、アクセスエンド時刻、ページ移動回数、アクセス回数などを含み、前記管理者端末に提供されたアクセス統計情報は、管理者端末でディスプレイされて管理者に提供され、管理者は、提供されたアクセス統計情報を利用してウェブサイト管理及び接続者管理を行う。
【００６７】
図６は、本発明の一実施例による複数のアクセス統計サーバを統合して運営する方法を説明するためのフローチャートである。
【００６８】
接続者端末１００が多数の会員ウェブサイト２００のうち一つ、例えば、第１会員ウェブサイトにアクセスすると、ステップＳ３１において、中継サーバ３１０は、第１会員ウェブサイトに挿入されたアクセス情報生成スクリプトから接続者端末１００のアクセス情報を受信する。前記アクセス情報生成スクリプトは中継サーバ３１０と連係されている。
【００６９】
ステップＳ３２において、中継サーバ３１０は、接続者端末１００に統合固有ＩＤを読み出した後、ステップＳ３３に進行し、複数のアクセス統計サーバ３２０のうち第１会員ウェブサイトのアクセス情報を分析するアクセス統計サーバ３２０を選択する。
【００７０】
ステップＳ３４において、選択されたアクセス統計サーバ３２０は、接続者端末１００の第１会員ウェブサイト２００に対するアクセス情報を読み出された統合固有ＩＤと連係して統計情報ＤＢ３３０に格納する。
【００７１】
第１会員ウェブサイトの管理者端末からアクセス統計情報の生成要請を受けると、ステップＳ３５において、選択されたアクセス統計サーバ３２０は、既格納された接続者端末１００の第１会員ウェブサイトに対するアクセス情報を分析してアクセス統計情報を生成した後、ステップＳ３６に進行し、生成されたアクセス統計情報を該当会員ウェブサイト２００の管理者端末に提供する。
【００７２】
以後、接続者端末１００が複数の会員ウェブサイト２００のうち他の一つ、例えば、第２会員ウェブサイトにアクセスすると、上述したステップＳ３１〜ステップＳ３６を繰り返して接続者端末１００の第２会員ウェブサイトに対するアクセス統計情報を生成し、第２会員ウェブサイトの管理者端末（図示せず）に提供する。具体的に、前記接続者端末１００が複数の会員ウェブサイト２００のうち第２会員ウェブサイトにアクセスした場合、中継サーバ３００は、接続者端末１００の統合固有ＩＤを読み出し、複数のアクセス統計サーバ３２０のうち接続者端末１００の第２会員ウェブサイトに対するアクセス情報を分析するアクセス統計サーバ３２０を選択し、選択されたアクセス統計サーバ３２０は、接続者端末１００の第２会員ウェブサイトに対するアクセス情報を既格納した接続者端末１００の第１会員ウェブサイトに対するアクセス情報と共に格納する。
【００７３】
上述したような本発明の一実施例によるアクセス統計情報提供システムは、それぞれのアクセス統計サーバ３２０ではなく中継サーバ３００で統合固有ＩＤを発給及び管理し、それぞれのアクセス統計サーバ３２０ではなく中継サーバ３００で統合固有ＩＤが含まれたクッキー、ユーザデータまたはフラッシュデータを生成して接続者端末１００に転送することで、負荷分散などの管理政策により、特定ウェブサイトのアクセス統計情報を生成する特定アクセス統計サーバ３２０の変更または追加の際にも、中継サーバ３００で接続者端末１００に格納されたクッキー、ユーザデータまたはフラッシュデータを読み出すことができるようになる。
【００７４】
本発明の一実施例は、コンピューターによって実行されるプログラムモジュールのようなコンピューターによって実行可能な命令語を含む記録媒体の形態として具現してもよい。コンピューター読取可能媒体は、コンピューターによってアクセスできる任意の可用媒体でもよく、揮発性及び非揮発性媒体、分離型及び非分離型媒体を全て含む。また、コンピューター読取可能媒体は、コンピューター格納媒体及び通信媒体を全て含んでもよい。コンピューター格納媒体は、コンピューター読取可能命令語、データ構造、プログラムモジュール、またはその他のデータのような情報の格納のための任意の方法、または技術で具現された揮発性及び非揮発性、分離型及び非分離型媒体を全て含む。通信媒体は、典型的にコンピューター読取可能命令語、データ構造、プログラムモジュール、または搬送波のような変調されたデータ信号のその他のデータ、またはその他の転送メカニズムを含み、任意の情報伝達媒体を含む。
【００７５】
前述した本発明の説明は例示のためのものであり、本発明が属する技術分野の通常の知識を持った者は、本発明の技術的思想や必須特徴を変更せず他の具体的な形態に容易に変形可能ということが理解できるであろう。従って、前述した実施例は、全ての面で例示的なものであり、限定的ではないと理解すべきである。例えば、単一型に説明されている各構成要素は分散して実施してもよく、同じく分散して説明されている構成要素も結合された形態で実施してもよい。
【００７６】
本発明の範囲は、前記詳細な説明より後述する特許請求の範囲によって表れ、特許請求の範囲の意味及び範囲並びにその均等概念から導出される全ての変更、または変形された形態が本発明の範囲に含まれるものと解釈すべきである。
【図１】
2012520502.tif 000003
【図２】
2012520502.tif 000004
【図３】
2012520502.tif 000005
【図４】
2012520502.tif 000006
【図５】
2012520502.tif 000007
【図６】
2012520502.tif 000008
【国際調査報告】
2012520502.tif 000009
2012520502.tif 000010
2012520502.tif 000011
2012520502.tif 000012